(57)【特許請求の範囲】
【請求項１】
低圧配電線を受けるように上部に開口した切欠きと、該切欠きの周りにＵ字形状の凹部とが形成された本体であって、絶縁体からなる本体と、
前記本体の凹部内に挿入され、Ｕ字形状に形成されている下側コアと、
前記下側コアに絶縁材を介して巻回され、前記低圧配電線に流れる電流により誘導された誘導電流を検出するためのコイルと、
前記コイルの両端から伸長した出力線間に該コイルと並列に接続され、ノイズ成分を取り除くためのコンデンサと、
前記コイルの両端から伸長した前記出力線間に、前記コンデンサと並列に接続される抵抗と、
前記下側コアの一端と電気的に接続される接地線と、
前記低圧配電線と電気的に接続され、該低圧配電線に印加されている電圧を検出するための電圧検出端子と、
前記電圧検出端子により検出された電圧を出力するための電圧出力線と、
前記コイルの両端から伸長した前記出力線、前記接地線及び前記電圧出力線の出力側に接続されたコネクタと、
前記凹部側を覆うように本体に取り付けられる側面蓋であって、前記本体に形成された切欠きと略同一形状を成す切欠きが形成され、前記本体の凹部内に設けられた前記コイルを覆い、かつ前記電圧検出端子に螺合するナットを受けるように孔部が略Ｕ字形状に形成された側面蓋と、
前記本体に固定して取付けられる固定ボルトと可動ボルトとに螺合されるナットにより、該本体及び前記側面蓋の頂面に載上される上部蓋と、
前記本体に取付けられた前記下側コアに向かい合って前記上部蓋内に挿入される上側コアと、
から構成されていることを特徴とする低圧配電線の電圧／電流測定用プローブ。
【請求項２】
前記本体に、ヒンジピンを中心として回転可能な可動ボルトが嵌め込まれるように、鉛直に形成され本体の頂面に開口している溝を有することを特徴とする請求項１に記載の低圧配電線の電圧／電流測定用プローブ。
【請求項３】
前記上部蓋は、
前記上側コアが挿入され固定される上部蓋本体と、
前記上部蓋本体内に形成されたネジ孔と共に前記上部蓋本体にネジで締結できるようにネジ孔が形成された上部側面蓋と、
から構成されていることを特徴とする請求項１に記載の低圧配電線の電圧／電流測定用プローブ。
【請求項４】
前記上部蓋本体は、
前記上側コアが挿入される凹部と、
前記本体に固定して取付けられた固定ボルトが通る孔と、
前記可動ボルトを回転可能に受けるように、前記本体に形成された溝と接続するように形成された切欠きと、
を有することを特徴とする請求項３に記載の低圧配電線の電圧／電流測定用プローブ。
【請求項５】
前記電圧検出端子は、金属材からなる先端部を有し、前記側面蓋の側面に形成された孔及びＵ字形状の孔部に挿入されたナットを貫通して、前記先端部が前記低圧配電線と電気的に接続されるように形成されており、後端部にはつまみが形成され、前記電圧検出端子の前記先端部の後側から前記つまみまでの部分は、外周面にネジが形成された絶縁体によって感電防止のために被覆されていることを特徴とする請求項１に記載の低圧配電線の電圧／電流測定用プローブ。
【発明の詳細な説明】
【０００１】
【発明の属する技術分野】
本発明は、低圧配電線の電圧／電流測定用プローブに関するもので、特に低圧配電線に印加された電圧と低圧配電線に流れる電流とをそれぞれ測定するためのセンサを一体的に備えた低圧配電線の電圧／電流測定用プローブに関する。
【０００２】
【従来の技術】
従来、様々な種類の低圧配電線の電圧／電流測定用プローブが提案され、用いられている。しかしながら、殆どの従来の低圧配電線の電圧／電流測定用プローブは、低圧配電線に印加されている電圧を測定するセンサと低圧配電線に流れている電流を測定するセンサとがそれぞれの別のユニットに分離して形成されている。そのため、従来のプローブは、使用者にとって操作が困難で構造が複雑であり、その理由により低圧配電線の電圧／電流を精密に測定することができない等の問題点がある。
【０００３】
【発明が解決しようとする課題】
従って、本発明は従来技術の前記様々な問題点を解決するために構成されたもので、本発明の目的は低圧配電線の電圧／電流を精密に測定できる電圧／電流測定用プローブを提供することにある。
【０００４】
本発明の他の目的は、構造が簡単で堅固であり、低圧配電線の着脱が容易な電圧／電流測定用プローブを提供することにある。
【０００５】
本発明の更に他の目的は、低圧配電線の電圧と電流とを同時に測定できるように、電圧測定用プローブと電流測定用プローブとが一体的に構成された電圧／電流測定用プローブを提供することにある。
【０００６】
【課題を解決するための手段】
前記目的を達成するために、本発明の低圧配電線の電圧／電流測定用プローブは、低圧配電線を受けるように上部に開口した切欠きと、該切欠きの周りにＵ字形状の凹部とが形成された本体であって、絶縁体からなる本体と、前記本体の凹部内に挿入され、Ｕ字形状に形成されている下側コアと、前記下側コアに絶縁材を介して巻回され、前記低圧配電線に流れる電流により誘導された誘導電流を検出するためのコイルと、前記コイルの両端から伸長した出力線間に該コイルと並列に接続され、ノイズ成分を取り除くためのコンデンサと、前記コイルの両端から伸長した前記出力線間に、前記コンデンサと並列に接続される抵抗と、前記下側コアの一端と電気的に接続される接地線と、前記低圧配電線と電気的に接続され、該低圧配電線に印加されている電圧を検出するための電圧検出端子と、前記電圧検出端子により検出された電圧を出力するための電圧出力線と、前記コイルの両端から伸長した前記出力線、前記接地線及び前記電圧出力線の出力側に接続されたコネクタと、前記凹部側を覆うように本体に取り付けられる側面蓋であって、前記本体に形成された切欠きと略同一形状を成す切欠きが形成され、前記本体の凹部内に設けられた前記コイルを覆い、かつ前記電圧検出端子に螺合するナットを受けるように孔部が略Ｕ字形状に形成された側面蓋と、前記本体に固定して取付けられる固定ボルトと可動ボルトとに螺合されるナットにより、該本体及び前記側面蓋の頂面に載上される上部蓋と、前記本体に取付けられた前記下側コアに向かい合って前記上部蓋内に挿入される上側コアと、から構成されていることを特徴とする。
【０００７】
【発明の実施の形態】
以下、本発明の一実施例による低圧配電線の電圧／電流測定用プローブに関し、添付図面により詳細に説明する。
【０００８】
図１は本発明の実施の形態による低圧配電線の電圧／電流測定用プローブを示す斜視図、図２は図１のプローブの分解斜視図、図３は低圧配電線の電圧／電流測定用プローブを電柱変圧器の負荷監視システムに接続して使用する状態を示す斜視図、図４は本発明の実施の形態による低圧配電線の電圧／電流測定用プローブの回路図である。
【０００９】
図１乃至図４に示すように、本発明の実施の形態による低圧配電線の電圧／電流測定用プローブについて、本体（１０）は絶縁体からなり、低圧配電線（１２）を受けるように上部に開口した切欠き（１３）と、該切欠き（１３）の周りのＵ字形状の凹部（１４）とが形成されている。
【００１０】
Ｕ字形状の下側コア（２０）が本体（１０）の凹部（１４）内に挿入され、コイル（３０）が絶縁材を介して下側コア（２０）に巻回されている。コイル（３０）は、低圧配電線（１２）を流れる電流により誘導された誘導電流を検出する。コンデンサ（Ｃ１）が、コイル（３０）の両端から伸長した出力線（Ｌ１，Ｌ２）間にコイル（３０）と並列に接続され、ノイズ成分を取り除く。抵抗（Ｒ１）が、コンデンサ（Ｃ１）及びコイル（３０）に並列に接続されている。
【００１１】
前記下側コア（２０）は、接地線（Ｌ３）の一端と電気的に接続されている。また、電圧検出端子（４０）が、本体（１０）に取り付けられた側面蓋（６０）の側面に形成された孔（６４）及び孔部（６２）に挿入されるナット（４４）を貫通して、前記低圧配電線（１２）と電気的に接続されるように、取付けられている。それによって、電圧検出端子（４０）は、低圧配電線（１２）に印加されている電圧を検出する。電圧検出端子（４０）には、検出された電圧を出力するための出力線（Ｌ４）が接続されている。
【００１２】
上述のコイル（３０）の両端から伸長した出力線（Ｌ１，Ｌ２）、接地線（Ｌ３）及び出力線（Ｌ４）の出力側には、コネクタ（５０）が接続されている。
【００１３】
本体（１０）に形成された切欠き（１３）と略同一形状を成す切欠き（６３）が、本体（１０）の凹部（１４）側を覆う側面蓋（６０）に形成される。該側面蓋（６０）は、本体（１０）の凹部（１４）の内に取付けられたコイル（３０）を覆っている。加えて、側面蓋（６０）には、電圧検出端子（４０）に螺合されるナット（４４）を受けるため、Ｕ字形状の孔部（６２）が形成されている。
【００１４】
上部蓋（７０）が、該上部蓋（７０）に形成された孔（７４）を介して通過する固定ボルト（１５）のネジ部と、本体（１０）の側面に形成された溝（１８）に受けられる可動ボルト（１６）のネジ部とに、ナット（１７）をそれぞれ螺合することにより、本体（１０）及び側面蓋（６０）の頂面に載上される。上側コア（８０）が、本体（１０）に取付けられた下側コア（２０）に向かい合って、上部蓋（７０）の凹部内に挿入される。
【００１５】
本体（１０）の側面には、本体（１０）の頂面に開口した溝（１８）が鉛直に形成され、ヒンジピン（１６ａ）を中心として回転する可動ボルト（１６）が溝（１８）内に嵌め込まれる。
【００１６】
上部蓋（７０）は、上側コア（８０）が挿入され固定される上部蓋本体（７１）と、上部側面蓋（７９）とから構成される。上部側面蓋（７９）にはネジ孔（７９ａ）が形成され、ネジ（７７）をネジ孔（７９ａ）を介して上部蓋本体（７１）内に形成されたネジ孔（７１ａ）に締結することにより、上部側面蓋（７９）が上部蓋本体（７１）に取り付けられる。
【００１７】
上部蓋本体（７１）は、上側コア（８０）が挿入される凹部と、本体（１０）に固定して取付けられた固定ボルト（１５）が通過する孔（７４）と、可動ボルト（１６）を回転可能に受けるように本体（１０）に形成された溝（１８）に接続されるように形成された切欠き（７８）と、を有している。
【００１８】
電圧検出端子（４０）は、尖鋭な先端部（４１）を有し、この先端部（４１）は、側面蓋（６０）の側面に形成された孔（６４）及びＵ字形状の孔部（６２）に挿入されたナット（４４）を貫通して、低圧配電線（１２）と電気的に接続されるように形成されている。電圧検出端子（４０）の後端部には、つまみ（４２）が形成されている。電圧検出端子（４０）の先端部（４１）の後側からつまみ（４２）までの部分は、外周面にネジが形成された絶縁体（４６）によって感電防止のために被覆されている。
【００１９】
上記説明において、本体（１０）、側面蓋（６０）及び上部蓋（７０）は、感電防止のために絶縁体から構成されていることが好ましい。
【００２０】
次に、上記のように構成された本発明の実施の形態の低圧配電線の電圧／電流測定用プローブの作用及び効果を説明する。
【００２１】
まず、絶縁体のボビン  （図示せず）  を下側コア（２０）の中間部に、固定して取付ける。次に、コイル（３０）を該ボビンに巻回し、ノイズ成分を取り除くためのコンデンサ（Ｃ１）を該コイル（３０）の両端から伸長された出力線（Ｌ１，Ｌ２）間にコイル（３０）と並列に接続し、抵抗（Ｒ１）をコイル（３０）の両端から伸長された出力線（Ｌ１，Ｌ２）間にコイル（３０）及びコンデンサ（Ｃ１）と並列に接続する。
【００２２】
次いで、一端がコネクタ（５０）と接続されているケーブル（５５）を、本体（１０）の側面に形成された孔（図示せず）に挿入する。そして、ケーブル（５５）の２本の電線を出力線（Ｌ１，Ｌ２）にそれぞれ電気的に接続し、１本の電線を接地線（Ｌ３）を介して下側コア（２０）に電気的に接続し、更に別の１本の電線を出力線（Ｌ４）及びナット（４４）を介して電圧検出端子（４０）に電気的に接続する。
【００２３】
次に、下側コア（２０）、コイル（３０）、コンデンサ（Ｃ１）及び抵抗（Ｒ１）を、本体（１０）の前面に形成された凹部（１４）内に挿入する。次いで、ナット（４４）を側面蓋（６０）に形成された孔部（６２）の上部に挿入し、側面蓋（６０）をネジ（６８）を用いて本体（１０）に取り付ける。
【００２４】
一方、上部側面蓋（７９）をネジ（７７）を用いて上部蓋本体（７１）に取り付けて、上部蓋（７０）を組み立てる。
【００２５】
そして、本体（１０）に固定して設けられている固定ボルト（１５）を上部蓋（７０）に形成された孔（７４）に挿入するとともに、可動ボルト（１６）の上部を上部蓋本体（７１）に形成された切欠き（７８）に嵌め込み、ナット（１７）を固定ボルト（１５）及び可動ボルト（１６）に形成されたネジ部にそれぞれ螺合して、上部蓋（７０）を本体（１０）及び側面蓋（６０）の頂面に取付ける。
【００２６】
電圧検出端子（４０）を、側面蓋（６０）の一側面上に中心方向に向いて形成された孔（６４）内に挿入して時計方向に回転すると、電圧検出端子（４０）の先端部（４１）は、側面蓋（６０）の孔部（６２）に挿入されたナット（４４）を貫通して、低圧配電線（１２）を受ける切欠き（６３）に向かって進む。以上により、低圧配電線の電圧／電流測定用プローブが図１に示すように組み立てられる。
【００２７】
このように組み立てられた本発明の低圧配電線の電圧／電流測定用プローブのコネクタ（５０）を、図３に示すように電柱変圧器に設けられている負荷監視システム（１００）と接続する。次に、固定ボルト（１５）及び可動ボルト（１６）に螺合されたナット（１７）をそれぞれ少しずつ緩めて、可動ボルト（１６）をヒンジピン（１６ａ）を中心として時計方向に回動し、可動ボルト（１６）を本体（１０）の側面と垂直に位置付ける。
【００２８】
そして、上部蓋（７０）を固定ボルト（１５）を中心として時計方向または反時計方向に回動し、図３に示すように低圧配電線（１２）を本体（１０）及び側面蓋（６０）に形成された切欠き（１３，６３）内に挿入した後、上部蓋（７０）を元の位置に戻す。
【００２９】
この状態で、ナット（１７）を固定ボルト（１５）に締め、可動ボルト（１６）をヒンジピン（１６ａ）を中心として反時計方向に回動して、可動ボルト（１６）を本体（１０）の側壁に形成された溝（１８）及び上部蓋（７０）の側壁に形成された切欠き（７８）に嵌め込み、ナット（１７）を可動ボルト（１６）に形成されたネジ部に締める。これにより、上部蓋（７０）が本体（１０）及び側面蓋（６０）の頂面に強固に固定される。
【００３０】
上述のように、低圧配電線（１２）を本体（１０）及び側面蓋（６０）に形成された切欠き（１３，６３）内に挿入した後、側面蓋（６０）の側面に挿入された電圧検出端子（４０）のつまみ（４２）を時計方向に回転すると、電圧検出端子（４０）の尖鋭な先端部（４１）が、低圧配電線（１２）の被覆材を貫通して低圧配電線（１２）の内部の電線に電気的に接続する。これにより、電圧検出端子（４０）は、低圧配電線（１２）に印加されている電圧を検出することができ、検出された電圧を出力線（Ｌ４）、ケーブル（５５）及びコネクタ（５０）を通して負荷監視システム（１００）に出力することができる。このとき、低圧配電線（１２）の位置を固定するように、本体（１０）及び側面蓋（６０）にそれぞれ形成された切欠き（１３，６３）の壁面に凹溝（１３ａ，６３ａ）がそれぞれ形成されているので、低圧配電線（１２）を一定位置に安定して固定することが可能である。
【００３１】
また、低圧配電線（１２）に流れている電流により下側コア（２０）に巻回されているコイル（３０）に電流が誘導されるので、この誘導電流を測定することにより低圧配電線（１２）を流れている電流を測定することができる。該誘導電流に含まれるノイズ成分は、コンデンサ（Ｃ１）により取り除かれる。ノイズ成分が取り除かれた誘導電流は、出力線（Ｌ１，Ｌ２）、ケーブル（５５）及びコネクタ（５０）を通して負荷監視システム（１００）に出力される。
【００３２】
前記の説明において、本発明の一実施の形態について図示、説明しているが、本発明はこれに限定されず、特許請求の範囲に示す本発明の概念から逸脱しない範囲で、本技術分野の通常の知識を有する者により多様に設計変更できることは、もちろんである。
【００３３】
【発明の効果】
前記説明の通り、本発明の低圧配電線の電圧／電流測定用プローブによれば、低圧配電線に印加されている電圧と低圧配電線を流れている電流とを同時に測定するように電圧検出端子と電流検出用コイルとが一体的に構成されているので、低圧配電線の電圧／電流を精密に測定することができる。また、本発明のプローブは、構造が簡単で堅固である。更に、本発明のプローブにおいて、上部蓋は本体に固定して取付けられた固定ボルトを中心として容易に回転可能であり、可動ボルトはヒンジピンを中心として本体の側面に垂直に容易に位置させることができるだけでなく、可動ボルトは本体及び上部蓋の側面に形成された切欠き内に容易に嵌め込むことができ、ナットを可動ボルトのネジ部に螺合して、前記本体及び側面蓋の頂面に上部蓋を容易に取付けることができる。従って、本発明のプローブは、低圧配電線の着脱が容易であり、低圧配電線の電圧及び電流を同時に測定できるという優れた効果がある。
【図面の簡単な説明】
【図１】本発明の実施の形態による低圧配電線の電圧／電流測定用プローブを示す斜視図
【図２】図１のプローブの分解斜視図
【図３】低圧配電線の電圧／電流測定用プローブを電柱変圧器の負荷監視システムに接続して使用する状態を示す斜視図
【図４】本発明の実施の形態による低圧配電線の電圧／電流測定用プローブの回路図
【符号の説明】
１０…本体、１２…低圧配電線、１３…切欠き、１４…凹部、１５…固定ボルト、１６…可動ボルト、１６ａ…ヒンジピン、１７…ナット、１８…溝、２０…下側コア、３０…コイル、４０…電圧検出端子、４１…先端部、４２…つまみ、４４…ナット、４６…絶縁体、５０…コネクタ、６０…側面蓋、６２…孔部、６３…切欠き、６４…孔、７０…上部蓋、７１…上部蓋本体、７１ａ…ネジ孔、７２…凹部、７４…孔、７７…ネジ、７８…切欠き、７９…上部側面蓋、７９ａ…ネジ孔、８０…上側コア、
【図１】
0003620526.tif 000002
【図２】
0003620526.tif 000003
【図３】
0003620526.tif 000004
【図４】
0003620526.tif 000005